(57)【要約】【課題】簡易に生産能力の向上を図れる上製本の製本方法等を提供する。【解決手段】上製本１の製本方法は、丁合された複数の用紙２の背を丸みをつけて固定する下固め丸身出し工程と、積層体３の背側に耳を形成する耳出し工程と、当該積層体３の背を固める背固め工程と、当該積層体３をカバー紙４でくるむくるみ工程と、を具備し、前記下固め丸身出し工程は、複数の用紙２の背に熱によって溶融する糊１０を塗布した後、この糊１０が乾燥する前に湾曲状に形成された凹部５１に当該積層体３の背側を接触させて背を丸めることを特徴とする。【選択図】図４
2014037067.tif 000002
【特許請求の範囲】
【請求項１】
複数の用紙からなる積層体と、この積層体の両側及び背を覆うカバー紙と、を備える上製本を製本する上製本の製本方法において、
丁合された複数の用紙の背に丸みをつけて固定する下固め丸身出し工程と、
前記積層体の背側に耳を形成する耳出し工程と、
当該積層体の背を固める背固め工程と、
当該積層体をカバー紙でくるむくるみ工程と、を具備し、
前記下固め丸身出し工程は、
複数の用紙の背に熱によって溶融する糊を塗布した後、当該糊が乾燥する前に湾曲状に形成された凹部に当該積層体の背側を接触させて背を丸めることを特徴とする上製本の製本方法。
【請求項２】
前記積層体の背を前記凹部に接触させる際に、当該凹部を冷却して前記糊を固化して積層体の背を固めることを特徴とする請求項１に記載の上製本の製本方法。
【請求項３】
前記積層体の背側を前記凹部に接触させる際に、前記積層体の背側が前記凹部に押圧されることを特徴とする請求項１、又は２に記載の上製本の製本方法。
【請求項４】
複数の用紙からなる積層体と、この積層体の両側及び背を覆うカバー紙と、を備える上製本を製本する際に前記積層体の背を丸みをつけて固定する上製本の下固め丸身出し装置において、
背側に熱によって溶融する糊が塗布された前記積層体の背側を背紙を介して接触させるために湾曲状に形成された凹部を有する基台と、
前記積層体の背部の両側から押圧する押圧体と、
前記基台を冷却する冷却装置と、
を備えることを特徴とする上製本の下固め丸身出し装置。
【請求項５】
前記積層体の小口側から押圧し、前記積層体の背側を前記凹部に接触させる押圧体を更に備えることを特徴とする請求項４に記載の上製本の下固め丸身出し装置。
【発明の詳細な説明】
【技術分野】
【０００１】
本発明は上製本を製本する製本方法等に関する。
【背景技術】
【０００２】
背が丸みをおびた丸背上製本は、複数の枚用紙からなる用紙束が下固め工程、丸身出し工程、耳出し工程、背固め工程、表紙くるみ工程の順に処理され製本されることが知られている（特許文献１参照）。
【０００３】
この種の上製本の製本過程において、例えば、下固め工程においてホットメルト接着剤が用いられて用紙束が無線綴じされるが、丸身出しを行う際には、このホットメルト接着剤が加熱されて処理される。
【先行技術文献】
【特許文献】
【０００４】
【特許文献１】特開２００３−１９８７９号公報
【発明の概要】
【発明が解決しようとする課題】
【０００５】
この種の従来の製本方法では、下固め工程と丸身出し工程とを別工程とするため、下固め工程において、用紙束がホットメルト接着剤により無線綴じされた後、丸身出し工程において、当該ホットメルト接着剤が溶融されて丸身出しが行われるため、下固め工程におけるホットメルト接着剤の固化待ち時間及び丸身出し工程におけるホットメルト接着剤の溶融待ち時間を要し、生産能力の低下の要因となっている。
【０００６】
本発明は、このような問題の解消を一つの課題とし、その目的の一例は、簡易に生産能力の向上を図れる上製本の製本方法等を提供するものである。
【課題を解決するための手段】
【０００７】
上記課題を解決するため、請求項１に記載の上製本の製本方法は、複数の用紙（２）からなる積層体（３）と、この積層体の両側及び背を覆うカバー紙（４）と、を備える上製本（１）を製本する上製本の製本方法において、丁合された複数の用紙の背に丸みをつけて固定する下固め丸身出し工程と、前記積層体の背側に耳を形成する耳出し工程と、当該積層体の背を固める背固め工程と、当該積層体をカバー紙でくるむくるみ工程と、を具備し、前記下固め丸身出し工程は、複数の用紙の背に熱によって溶融する糊（１０）を塗布した後、当該糊が乾燥する前に湾曲状に形成された凹部（５１）に当該積層体の背側を接触させて背を丸めることを特徴とする。
【０００８】
また、請求項２に記載の上製本の製本方法は、請求項１に記載の上製本の製本方法において、前記積層体の背を前記凹部に接触させる際に、当該凹部を冷却して前記糊を固化して積層体の背を固めることを特徴とする。
【０００９】
また、請求項３に記載の上製本の製本方法は、請求項１、又は２に記載の上製本の製本方法において、前記積層体の背側を前記凹部に接触させる際に、前記積層体の背側が前記凹部に押圧されることを特徴とする。
【００１０】
また、請求項４に記載の上製本の下固め丸身出し装置は、複数の用紙からなる積層体と、この積層体の両側及び背を覆うカバー紙と、を備える上製本を製本する際に前記積層体の背を丸みをつけて固定する上製本の下固め丸身出し装置において、背側に熱によって溶融する糊が塗布された前記積層体の背側を背紙を介して接触させるために湾曲状に形成された凹部（５１）を有する基台（５２）と、前記積層体の背部の両側から押圧する押圧体（５６）と、前記基台を冷却する冷却装置と、を備えることを特徴とする。
【００１１】
また、請求項５に記載の上製本の下固め丸身出し装置は、請求項４に記載の上製本の下固め丸身出し装置において、前記積層体の小口側から押圧し、前記積層体の背側を前記凹部に接触させる押圧体（６０）を更に備えることを特徴とする。
【発明の効果】
【００１２】
本発明によれば、上製本を効率良く生産することができる。
【図面の簡単な説明】
【００１３】
【図１】本実施形態の冊子の一例を示す外観斜視図である。
【図２】上製本の製本過程を示す工程図である。
【図３】上製本の製本過程を示す模式図を示し、図３（ａ）は下固め工程の模式図、図３（ｂ）は丸身出し工程の模式図、図３（ｃ）は耳出し工程の模式図、図３（ｄ）は背固め工程の模式図、図３（ｅ）はくるみ工程の模式図である。
【図４】下固め丸身出し工程の処理工程を示し、図４（ａ）はミーリングされた積層体の模式図、図４（ｂ）は背部に糊が塗布された積層体の模式図、図４（ｃ）は基台上に背紙及び積層体を配置する前の状態を示す模式図、図４（ｄ）は基台上に背紙及び積層体を配置した状態を示す模式図、図４（ｅ）は積層体に対して丸身出しを行う状態を示す模式図である。
【発明を実施するための形態】
【００１４】
以下、図面を参照して本発明の実施形態について説明する。
【００１５】
（上製本の構成等）
まず、製本される上製本（以下、「冊子１」と称する。）について図１を用いて説明する。なお、図１において、便宜上、冊子１の上下方向を天地方向とし、正面側を小口側、奥行側を背側として説明する。
【００１６】
本実施形態の冊子１は、図１に示すように、本紙となる複数の枚葉紙２（本願の用紙）を重ね合わせて構成される積層体３と、この積層体３の最表面側と最裏面側と背側を覆う（くるむ）カバー紙４と、を備えている。
【００１７】
ここで積層体３は、丁合された複数の枚葉紙２の背側にホットメルト等の熱によって溶融する糊が塗布されて各枚葉紙２が互いに接着され、この背に背紙を貼着して下固めされるとともに、小口側を開き易くするためにその背が丸身出しされ、次に本紙が落ちない程度の強度を保つために積層体の背側が耳出しされ、次に補強用に当該背に花きれ付きのシワ紙１３が取り付けられて背固めされる。
【００１８】
そして、冊子１は、この積層体３をカバー紙４でくるむ際に、カバー紙４と、このカバー紙４と隣接する積層体の一側面及び他面と、が例えば液状糊によって貼り付けられて製本される。
【００１９】
（上製本の製造方法等）
次に、本実施形態の上製本の製本方法について図２乃至図４を用いて説明する。
【００２０】
本実施形態の上製本の製本方法は、クランパ７０によって丁合された複数の枚葉紙２からなる積層体３の両側が挟持されて把持されつつ、図２に示すように、下固め丸身出し工程、耳出し工程、背固め工程、くるみ工程の順に搬送されて所定の処理が行われ、冊子１が製本される。このように本実施形態の上製本の製本方法では、下固め処理と丸身出し工程とを同時に行うことで生産能力の向上を図る。
【００２１】
下固め丸身出し工程では、図３（ａ）及び図３（ｂ）に示すように、複数の枚葉紙２からなる積層体３の背部が無線綴じにより下固めされるとともに、当該背部が湾曲状に形成されて丸身出しされる。具体的には、図４に示すように、積層体３の背がミーリングされて積層体３の背及び背側の両側に熱によって溶融する性質を有するホットメルト系の糊１０が塗布されるとともに、糊１０の塗布面に背紙１１（しわ紙や和紙）を配置して、糊１０が固化する前に、基台５２に形成された湾曲形状の凹部５１に当該背紙１１を介して積層体３の背を接触させて自重によりこの背が所定の曲率Ｒで丸身出しされる。
【００２２】
なお、この背紙１１によって基台５２に糊１０が付かずに、糊１０が溶融した状態で積層体３の丸身出しを行える。
【００２３】
耳出し工程では、図３（ｃ）に示すように、当該背を断面視において略イチョウ型となるように本紙の背の形を整える。具体的には本紙を積層体３の背側の両側から押圧し、背側からローラ等で圧力を掛ける。これにより、本紙が小口側から飛び出しにくくなるとともに、冊子１の開きが良くなる。
【００２４】
背固め工程では、図３（ｄ）に示すように、積層体３の背に花きれ付きのシワ紙（クラフト紙等）１３が取り付けられて補強される。
【００２５】
くるみ工程では、図３（ｅ）に示すように、背固めされた当該積層体３をカバー紙４でくるむ。この時、例えば、カバー紙４は、このカバー紙４と隣接する積層体３の一側面及び他面にエマルジョン系の糊が用いられて貼り付けられる。なお、当該糊は、枚葉紙の種類によって一般的に公知な糊が適宜用いられる。
【００２６】
ここで、特に本願発明の特徴部分である下固め丸身出し工程における積層体の処理方法について説明する。
【００２７】
従来、この種の製本処理における下固め丸身出し工程は、別工程で行われ、下固め工程においてホットメルト系の糊１０によって積層体３の背部を仮固定した後、丸身出し工程において当該糊１０を溶融して、積層体３の背部の丸身出しを行っていた。
【００２８】
この処理では、糊１０の固化・溶融に時間を要し、生産能力の低下を招くため、本実施形態では、積層体３に糊１０を塗布した後、当該糊１０が固化する前に、当該積層体３の丸身出しを行いつつ、糊１０を冷却することにより、効率化を図るようにしている。
【００２９】
具体的に、下固め丸身出し工程では、まず、図４（ａ）に示すように、積層体３の背が図示しないフライス等の回転工具によりミーリングされ、図４（ｂ）に示すように、そのミーリングされた積層体３に対して、図示しない糊塗布機等を用いて、丁合された積層体３の背側に糊１０が塗布されて仮固めされ、その後、丸身出し装置５０により丸身出しが行われる。
【００３０】
図４（ｃ）〜図４（ｅ）は丸身出し工程を示す図であり、図４（ｃ）〜図４（ｅ）に示すように、丸身出し装置５０は、湾曲状に形成された凹部５１を上部に有する基台５２を備え、図４（ｄ）に示すように、この凹部５１には背紙１１を介して積層体３の背側を接触させる。また、丸身出し装置５０は、この基台５２の上面両側に対向して配置される一対の押圧体５６、５６と、この両方の押圧体５６、５６を互いに近づく又は離れる方向に水平移動する図示しない移動機構部と、を備えている。
【００３１】
そして、図４（ｃ）に示すように、凹部５１上に背紙１１を配置した上で、この背紙１１上に積層体３を移動させ、図４（ｄ）に示すように、この両方の押圧体５６、５６を近づく方向に移動させて、図４（ｅ）に示すように、押圧対５６を積層体３の背側の両側を挟持するように押し当て積層体３を支持しつつ、クランパ７０に設けられた図示しない移動機構によって積層体３を下方へと押圧することによって、又はクランパ７０による挟持力を弱めて枚葉紙２が有する自重によって背の丸身出しが行われるとともに、背紙１１が積層体３の両側に貼着される。
【００３２】
なお、押圧体５６、５６を断面視略円形状に形成し、モータ等の駆動部に回転可能に取り付け、例えば、半回転させて背の両側面が外側（見返し側）へと曲げることで耳出しを行うこともできる。
【００３３】
また、基台５２は、熱伝導性を有しており、この基台５２には、冷却装置５８が設けられており、図示しない制御部によって当該基台５２を冷却可能になっている。そして、例えば、背紙１１を介して積層体３が基台５２に接触する際に基台５２を冷却することによって、糊１０が徐々に固化され、丸身出しされた背が固められた積層体３が完成する。
【００３４】
また、丸身出し装置５０の基台５２は着脱可能に設けられている。この基台５２は、凹部５１の曲率Ｒが異なる複数の種類を有し、積層体３の厚みに応じて適宜適切な種類の基台５２が選択されて取り付けられる。
【００３５】
このように構成された丸身出し装置５０によって、糊１０が塗布された積層体３が、当該糊１０が乾燥する前に、図４（ｃ）に示すように、基台５２の凹部５１に背紙１１が配置された上で、その上方からクランパ７０によって背側を下にして両側から挟持された積層体３が下方へと移動され、図４（ｄ）に示すように、基台５２の凹部５１との間で背紙１１を挟むようにして当該積層体３が載置され、基台５２が冷却装置５８によって冷却され、図４（ｅ）に示すように、押圧体５６により積層体３が両側から挟持されつつ、さらに、積層体３を構成する中央部の枚葉紙２が下方へと移動されて凹部５１に接触し、積層体３の背が糊１０の冷却によって固定されつつ、当該背の丸身出しが行われる。
【００３６】
なお、図４（ｅ）の破線に示すように、下端面が所定の曲率で湾曲状に形成され、積層体３を上方から押圧するための押圧体６０を用意し、当該押圧体６０を積層体３の小口側から押し当てて、半ば強制的に丸身出しを行うようにしても構わない。
【００３７】
このように、本実施形態の冊子１は、積層体３の背を固化する工程と背を丸める工程とをほぼ同時に行うことにより、短時間で丸身出しが行われ背側が糊１０によって固定された積層体３を製造できるため、簡易に生産能力の向上を図ることができる。
【００３８】
なお、本発明は上記実施の形態に限定されるものではなく、本発明の要旨の範囲内で種々変更可能である。
【符号の説明】
【００３９】
１  冊子
２  枚葉紙
３  積層体
４  カバー紙
１０  糊
５１  凹部
５２  基台
５６、６０  押圧体
【図１】
2014037067.tif 000003
【図２】
2014037067.tif 000004
【図３】
2014037067.tif 000005
【図４】
2014037067.tif 000006